(57)【特許請求の範囲】
【請求項１】
原稿面からの反射光を読み取る原稿読取装置に用いられる照明装置であって、
互いに並ぶよう配置された２つのロッド状のライトガイドと、これらのライトガイドの各々の端面に配置された発光素子とを備えてなり、
前記ライトガイドの各々は、その長手方向に沿って形成された、当該長手方向に垂直な断面における外周輪郭が円弧状の光出射面と、この光出射面に対向する周面に形成された２つの平面状光反射面とを有し、
前記ライトガイドの各々における２つの平面状光反射面の各々には、その長手方向に沿って微小プリズム群が形成されており、
前記発光素子からの光が、前記ライトガイドによってその長手方向に導かれ、前記２つの平面状光反射面の各々によって反射されて当該ライトガイドの光出射面から出射され、
前記２つのライトガイドの各々の長手方向に垂直な仮想平面において、各ライトガイドからの光は、原稿面上で、当該２つの平面状光反射面からの反射光による２つの強度ピークと、一方の強度ピークに続く平坦な強度分布とを有し、当該原稿面上での２つの強度ピーク位置が各ライトガイドの間の中央に位置する原稿面と垂直な原稿読取軸の両側に位置された状態で、当該２つのライトガイドからの光が原稿面における原稿読取軸を含む領域において重畳されていることを特徴とする照明装置。
【請求項２】
前記２つのライトガイドの各々の長手方向に垂直な仮想平面において、原稿面と原稿読取軸との交点から、各ライトガイドにおける２つの平面状光反射面よりの光による原稿面上での２つの強度ピーク位置のうち原稿読取軸を交差する反射光による一方の強度ピーク位置までの距離が、原稿面と原稿読取軸との交点から他方の強度ピーク位置までの距離より短いことを特徴とする請求項１に記載の照明装置。
【請求項３】
２つのライトガイドは、原稿読取軸に対して対称に配置されていることを特徴とする請求項１または請求項２に記載の照明装置。
【請求項４】
２つのライトガイドを保持するシャーシを有し、このシャーシには、原稿面からの原稿反射光を透過させるスリットが形成されていることを特徴とする請求項３に記載の照明装置。
【発明の詳細な説明】
【技術分野】
【０００１】
本発明は、ファクシミリ、複写機、スキャナなどの機器に使用される原稿読取用の照明装置に関する。
【背景技術】
【０００２】
ファクシミリ、複写機、スキャナなどの機器は、原稿面からの反射光によって原稿面の文字・画像情報を読み取る原稿読取装置を有し、この原稿読取装置には、原稿面を照明する照明装置が設けられている。
このような照明装置としては、互いに並ぶよう配置された２つのロッド状のライトガイドと、２つのライトガイドの各々の端面に設けられた発光素子とを備えてなり、一方のライトガイドに係る発光素子と他方のライトガイドに係る発光素子とが、各ライトガイドにおける互いに反対方向を向く端面に配置されてなるものが知られている（特許文献１参照。）。
【０００３】
図１３は、従来の照明装置を備えた原稿読取装置の一例における要部の構成を示す説明用断面図である。この図において、８０は照明装置であって、それぞれ主走査方向（図において紙面に垂直な方向）に伸びる２つのロッド状のライトガイド８１，８２と、これらのライトガイド８１，８２を保持するシャーシ８３を有する。２つのライトガイド８１，８２のうち、一方のライトガイド８１には、その一端面（例えば紙面において手前側の端面）に発光素子（図示省略）が配置され、他方のライトガイド８２には、その他端面（例えば紙面において奥側の他面）すなわち一方のライトガイド８１の一端面と反対方向を向く端面に、発光素子（図示省略）が配置されている。８１ａ，８２ａは、ライトガイド８１，８２の光出射面である。９０は、原稿が載置される原稿台であって、照明装置８０の上方に設けられている。９１は原稿台９０に載置される原稿の原稿面である。９５は、原稿面９１からの原稿反射光をロッドレンズアレイ９６を介して受光する光電変換素子であり、この光電変換素子９５は、基板９７に設けられている。
【０００４】
上記の照明装置８０においては、発光素子から放射される光がライトガイド８１，８２にその端面から入射され、このライトガイド８１，８２によって主走査方向に導かれると共に、当該ライトガイド８１，８２から出射され、ライトガイド８１，８２から出射される光が原稿面９１に照射されることによって、当該原稿面９１には、その情報を読み取るための、主走査方向に伸びる帯状の有効照明領域が形成され、この原稿面９１における有効照明領域からの原稿反射光がロッドレンズアレイ９６を介して光電変換素子９５に受光される。そして、原稿面９１における有効照明領域を、当該原稿面９１に対して副走査方向すなわちライトガイドの長手方向に対して垂直な方向に相対的に移動させることにより、原稿面における所要の文字・画像情報が読み取られる。
ここで、有効照明領域とは、所定の照度例えば最大照度の９５％以上の照度を有する照明領域であり、照明装置においては、有効照明領域が、その副走査方向において読み取りに必要な幅、例えば有効照明領域の中央位置から±３ｍｍ（有効照明領域の幅としては６ｍｍ）以上の幅を有すること、および副走査方向において均一性の高い照度分布を有することが肝要である。
【０００５】
而して、上記の照明装置８０によれば、発光素子が２つのライトガイドにおける互いに反対方向を向く端面に配置されていることにより、原稿面上において２つのライトガイド８１，８２の各々からの光による照度分布が互いに対称であるため、各ライトガイドから８１，８２の光を重畳することにより、均一性の高い照度分布を有する有効照明領域が得られる、とされている。
しかしながら、上記の照明装置８０においては、主走査方向において均一性の高い照度分布を有する有効照明領域を得ることは可能であるが、以下のような問題により、副走査方向において読み取りに必要な幅を有し、かつ副走査方向において均一性の高い照度分布を有する有効照明領域を得ることが困難である。
【０００６】
図１４は、従来の照明装置において、２つのライトガイドを各々からの光による原稿面上での２つの強度ピーク位置が重なるよう配置した場合における原稿面上での副走査方向の照度分布を示す曲線図である。この図において、縦軸は相対強度、横軸は副走査方向の座標、ａは一方のライトガイドからの光による照度分布曲線、ｂは他方のライトガイドからの光による照度分布曲線、ｃは２つのライトガイドからの光による照度分布曲線である。
図１４から明らかなように、２つのライトガイドを各々からの光による原稿面上での２つの強度ピーク位置が重なるよう配置した場合には、有効照明領域の副走査方向における強度ピーク位置が一つであり、この強度ピーク位置から離れるに従って照度が低下するため、副走査方向において読み取りに必要な幅を有する有効照明領域を得ることは困難である。
【０００７】
このような事情から、２つのライトガイドを各々からの光による原稿面上での２つの強度ピーク位置が離間するよう配置することが考えられる。このような構成によれば、２つのライトガイドに配置された発光素子の各々の光量が同等であれば、各ライトガイドからの光の各々による２つの強度ピーク位置が得られるため、副走査方向において読み取りに必要な幅を有する有効照明領域を得ることが可能である（図１２の照度分布曲線ａ参照。）。
然るに、２つのライトガイドに配置された発光素子の各々の光量にバラツキがある場合には、有効照明領域の副走査方向において、一側の照度が他側の照度より低くなるため、均一性の高い照度分布が得られず、また、他側の照度の低下が著しいときには、副走査方向において読み取りに必要な幅を有する有効照明領域を得ることが困難となる（図１２の照度分布曲線ｂ参照。）。
【先行技術文献】
【特許文献】
【０００８】
【特許文献１】特開２００１−２６８３２０号公報
【発明の開示】
【発明が解決しようとする課題】
【０００９】
本発明は、以上のような事情に基づいてなされたものであり、その目的は、原稿面からの反射光を読み取る原稿読取装置に用いられる照明装置において、２つのライトガイドに配置された発光素子の各々の光量にバラツキがあっても、副走査方向において読み取りに必要な幅を有し、かつ副走査方向において均一性の高い照度分布を有する有効照明領域を得ることができる照明装置を提供することにある。
【課題を解決するための手段】
【００１０】
本発明の照明装置は、原稿面からの反射光を読み取る原稿読取装置に用いられる照明装置であって、
互いに並ぶよう配置された２つのロッド状のライトガイドと、これらのライトガイドの各々の端面に配置された発光素子とを備えてなり、
前記ライトガイドの各々は、その長手方向に沿って形成された、当該長手方向に垂直な断面における外周輪郭が円弧状の光出射面と、この光出射面に対向する周面に形成された２つの平面状光反射面とを有し、
前記ライトガイドの各々における２つの平面状光反射面の各々には、その長手方向に沿って微小プリズム群が形成されており、
前記発光素子からの光が、前記ライトガイドによってその長手方向に導かれ、前記２つの平面状光反射面の各々によって反射されて当該ライトガイドの光出射面から出射され、
前記２つのライトガイドの各々の長手方向に垂直な仮想平面において、各ライトガイドからの光は、原稿面上で、当該２つの平面状光反射面からの反射光による２つの強度ピークと、一方の強度ピークに続く平坦な強度分布とを有し、当該原稿面上での２つの強度ピーク位置が各ライトガイドの間の中央に位置する原稿面と垂直な原稿読取軸の両側に位置された状態で、当該２つのライトガイドからの光が原稿面における原稿読取軸を含む領域において重畳されていることを特徴とする。
【００１１】
本発明の照明装置においては、前記２つのライトガイドの各々の長手方向に垂直な仮想平面において、原稿面と原稿読取軸との交点から、各ライトガイドにおける２つの平面状光反射面よりの光による原稿面上での２つの強度ピーク位置のうち原稿読取軸を交差する反射光による一方の強度ピーク位置までの距離が、原稿面と原稿読取軸との交点から他方の強度ピーク位置までの距離より短いことが好ましい。
また、２つのライトガイドは、原稿読取軸に対して対称に配置されていることが好ましい。
また、２つのライトガイドを保持するシャーシを有し、このシャーシには、原稿面からの原稿反射光を透過させるスリットが形成されていることが好ましい。
【発明の効果】
【００１２】
本発明の照明装置によれば、２つのライトガイドの各々における光出射面に対向する周面には、それぞれ微小プリズム群が形成された２つの平面状光反射面が形成されているため、一つのライトガイドからの光は、当該ライトガイドの長手方向に垂直な仮想平面において、２つの平面状光反射面からの反射光のいずれかを主とする２つの強度ピークを有し、しかも、これらの反射光による原稿面上での２つの強度ピーク位置が、各ライトガイドの間の中央に位置する原稿面と垂直な原稿読取軸の両側に位置されるため、２つのライトガイドに配置された発光素子の各々の光量にバラツキがあっても、原稿面において２つのライトガイドからの光が重畳されて互いに補償し合うことにより、副走査方向において読み取りに必要な幅を有し、かつ副走査方向において均一性の高い照度分布を有する有効照明領域を得ることができる。
【図面の簡単な説明】
【００１３】
【図１】本発明の照明装置の一例を示す斜視図である。
【図２】原稿読取装置に搭載された図１に示す照明装置における構成を副走査方向に切断して示す説明用断面図である。
【図３】２つのライトガイドおよび２つの発光素子の配置関係を示す説明図である。
【図４】ライトガイドの一部を拡大して示す説明用断面図である。
【図５】原稿面上での２つのライトガイドによる強度ピーク位置と原稿読取軸との位置関係を示す説明図である。
【図６】本発明の照明装置の他の例における構成を原稿読取装置に搭載された状態で副走査方向に切断して示す説明用断面図である。
【図７】実験例１において、１つのライトガイドからの光による副走査方向の照度分布を示す曲線図である。
【図８】実験例１において、２つのライトガイドからの光による副走査方向の照度分布を示す曲線図である。
【図９】実験例１および実験例２に係る照明装置による副走査方向の照度分布を示す曲線図である。
【図１０】比較実験例１に係る照明装置の構成を副走査方向に切断して示す説明用断面図である。
【図１１】比較実験例１に係る照明装置（Ｂ１）による照度分布を示す曲線図である。
【図１２】比較実験例１に係る照明装置（Ｂ１）および照明装置（Ｂ２）による照度分布を示す曲線図である。
【図１３】従来の照明装置を備えた原稿読取装置の一例における要部の構成を示す説明用断面図である。
【図１４】従来の照明装置において、２つのライトガイドを各々からの光による原稿面上での２つの強度ピーク位置が重なるよう配置した場合における原稿面上での副走査方向の照度分布を示す曲線図である。
【発明を実施するための形態】
【００１４】
以下、本発明の照明装置の実施の形態について説明する。
図１は、本発明の照明装置の一例を示す斜視図であり、図２は、原稿読取装置に搭載された図１に示す照明装置における構成を副走査方向に切断して示す説明用断面図である。  この照明装置は、原稿が載置される透光性を有する原稿台２の下方に配置され、図３にも示すように、原稿面１に平行な平面に沿って互いに離間して主走査方向に平行に並ぶよう配置された２つのロッド状のライトガイド１０，２０を有する。図示の例では、２つのライトガイド１０，２０は、実質的に互いに同一の形状を有し、各ライトガイド１０，２０の間の中央に位置する原稿の原稿面１と垂直な原稿読取軸Ｙに対して対称に配置されている。
本発明において、「副走査方向」とは、原稿面に対して照明装置を相対的に移動させるときの移動方向を意味し、「主走査方向」とは、副走査方向と垂直な方向であって原稿面に対して平行な方向を意味する。
２つのライトガイド１０，２０のうち、一方のライトガイド１０の一端面には、発光素子３０が当該一方のライトガイド１０の一端面から離間して配置され、一方のライトガイド１０の一端面と発光素子３０との間の空間を取り囲むようミラー３１が配置されている。また、他方のライトガイド２０における一方のライトガイド１０の一端面と反対方向を向く他端面には、発光素子３５が当該他方のライトガイド２０の他端面から離間して配置され、他方のライトガイド２０の他端面と発光素子３５との間の空間を取り囲むようミラー３６が配置されている。
【００１５】
２つのライトガイド１０，２０の各々においては、その長手方向に垂直な断面における外周輪郭が円弧状の光出射面１１，２１が、当該ライトガイド１０，２０の長手方向に沿って形成され、それぞれの光出射面１１，２１に対向する周面には、図４にも拡大して示すように、２つの平面状光反射面１２，１３，２２，２３が形成されている。そして、各ライトガイド１０，２０の各々における２つの平面状光反射面１２，１３，２２，２３の各々には、発光素子３０，３５からライトガイド１０，２０に入射した光を光出射面に向かって反射する微小プリズム群１４，１５，２４，２５が、当該ライトガイド１０，２０の長手方向に沿って形成されている。
【００１６】
２つのライトガイド１０，２０の各々は、共通のシャーシ４０によって保持されている。具体的に説明すると、シャーシ４０は、基台４１と、この基台４１上に互いに離間して平行に並ぶよう設けられた２つの長尺な保持台４５，４６と、基台４１および保持台４５，４６の各々の間に挟持されて保持されたガイド固定つめ４７，４８とを有し、一方、ライトガイド１０，２０の各々には、光出射面１１，２１と一方の平面状光反射面１２，２２との間に、ライトガイド１０，２０の長手方向に伸びる保持用突条部１６，２６が形成されており、ライトガイド１０，２０における保持用突条部１６，２６がシャーシ４０におけるガイド固定つめ４７，４８によって固定されることにより、ライトガイド１０，２０は、光出射面１１，２１が所定の方向を向いた状態で保持台４５，４６の各々にライトガイド１０，２０が保持されている。また、シャーシ４０における基台４１には、２つの保持台４５，４６の間の位置に、原稿面からの原稿反射光を透過させるスリット４４が保持台４５，４６と同方向に伸びるよう形成されている。
【００１７】
ライトガイド１０，２０を構成する材料としては、ポリメチルメタクリレート樹脂、シクロオレフィンポリマー、シクロオレフィンコポリマーなどを用いることができ、このような材料を用いることにより、射出成形法によってライトガイド１０，２０を作製することができる。
また、微小プリズム群１４，１５，２４，２５の各々は、ライトガイド１０，２０における平面状光反射面１２，１３，２２，２３に一体に形成されていても、平面状光反射面１２，１３，２２，２３と別体のものが接着されて形成されていてもよく、別体の微小プリズム群１４，１５，２４，２５を用いる場合には、これらは、ライトガイド１０，２０と同様の材料を用いることにより、射出成形法によってライトガイド１０，２０を作製することができる。
ライトガイド１０，２０の寸法の一例を挙げると、全長が３４０ｍｍ、光出射部１１，２１を形成する円弧の半径が２．５ｍｍ、平面状光反射面１２，１３，２２，２３の幅が１．０ｍｍである。
【００１８】
発光素子３０，３５としては、白色ＬＥＤを用いることができる。
また、シャーシ４０における基台４１を構成する材料としては、アルミニウムなどの金属材料を用いることができ、保持台４５，４６を構成する材料としては、アルミニウムなどの金属材料、ポリカーボネート樹脂などの樹脂材料を用いることができる。
【００１９】
上記の照明装置においては、発光素子３０，３５から放射される光がミラー３１，３６に反射されて導かれて、ライトガイド１０，２０にその端面から入射され、このライトガイド１０，２０によってその周面に反射されながら当該ライトガイド１０，２０の長手方向に導かれると共に、２つの平面状光反射面１２，１３，２２，２３の各々によって反射され、この反射光がライトガイド１０，２０の光出射面１１，２１から出射され、原稿台２上に載置された原稿の原稿面１に照射される。このとき、原稿面１においては、図５に示すように、一方のライトガイド１０における２つの平面状光反射面１２，１３よりの光による２つの強度ピーク位置Ｐａ，Ｐｂ、および他方のライトガイド２０における２つの平面状光反射面２２，２３よりの光による２つの強度ピーク位置Ｐｃ，Ｐｄが存在する。  而して、本発明の照明装置においては、２つのライトガイド１０，２０の各々の長手方向に垂直な仮想平面において、一方のライトガイド１０における２つの平面状光反射面１２，１３からの反射光による原稿面上での２つの強度ピーク位置Ｐａ，Ｐｂが、ライトガイド１０，２０の間の中央に位置する原稿面１と垂直な原稿読取軸Ｙの両側に位置され、他方のライトガイド２０における２つの平面状光反射面２２，２３からの反射光による原稿面上での２つの強度ピーク位置Ｐｃ，Ｐｄが、原稿読取軸Ｙの両側に位置されるよう、ライトガイド１０，２０が配置されている。
【００２０】
図示の例では、２つのライトガイド１０，２０の各々の長手方向に垂直な仮想平面において、原稿読取軸Ｙおよび原稿面１の交点Ｓと、一方のライトガイド１０における光出射面１１に係る円弧の中心Ｇ１とを通過する仮想直線をＬ１、原稿読取軸Ｙおよび原稿面１の交点Ｓと、他方のライトガイド２０における光出射面２１に係る円弧の中心Ｇ２とを通過する仮想直線をＬ２としたとき、一方のライトガイド１０に係る微小プリズム群１４，１５の各々における幅方向の中心位置の各々からの光線軸Ｍ１，Ｍ２が、仮想直線Ｌ１と交差し、他方のライトガイド２０に係る微小プリズム群２４，２５の各々における幅方向の中心位置の各々からの光線軸Ｍ３，Ｍ４が、仮想直線Ｌ２と交差する状態とされている。ここで、光線軸Ｍ１，Ｍ２，Ｍ３，Ｍ４は、ライトガイド１０，２０における光出射面１１，２１に係る円弧の中心Ｇ１，Ｇ２を通過しないため、光出射面１１，２１と交差するときに屈折によって方向が変わるが、図においては便宜上直線で示されている。
また、一方のライトガイド１０に係る２つの微小プリズム群１４，１５うち、原稿読取軸Ｙから見て外側に位置する微小プリズム群１４における幅方向の中心位置での光線軸Ｍ１が、原稿読取軸Ｙを交差し、他方のライトガイド２０に係る２つの微小プリズム群２４，２５うち、原稿読取軸Ｙから見て外側に位置する微小プリズム群２４における幅方向の中心位置での光線軸Ｍ３が、原稿読取軸Ｙを交差する状態とされている。
【００２１】
また、本発明の照明装置においては、２つのライトガイド１０，２０の各々の長手方向に垂直な仮想平面において、原稿面１と原稿読取軸Ｙとの交点Ｓから、一方のライトガイドに１０における２つの平面状光反射面１２，１３よりの光による原稿面１上での強度ピーク位置Ｐａ，Ｐｂのうち原稿読取軸Ｙを交差する反射光による一方の強度ピーク位置Ｐｂまでの距離が、原稿面１と原稿読取軸Ｙとの交点Ｓから他方の強度ピーク位置Ｐａまでの距離より短く、かつ、原稿面１と原稿読取軸Ｙとの交点Ｓから、他方のライトガイドに２０における２つの平面状光反射面２２，２３よりの光による原稿面１上での強度ピーク位置Ｐｃ，Ｐｄのうち原稿読取軸Ｙを交差する反射光による一方の強度ピーク位置Ｐｄまでの距離が、原稿面１と原稿読取軸Ｙとの交点Ｓから他方の強度ピーク位置Ｐｃまでの距離より短いことが好ましい。
このような構成によれば、副走査方向において一層均一性の高い照度分布を有する有効照明領域を得ることができる。
【００２２】
本発明の照明装置によれば、２つのライトガイド１０，２０の各々における光出射面１１，２１に対向する周面には、それぞれ微小プリズム群１４，１５，２４，２５が形成された２つの平面状光反射面１２，１３，２２，２３が形成されているため、後述する実施例からも明らかなように、ライトガイド１０，２０の長手方向に垂直な仮想平面において、一方のライトガイド１０からの光は、２つの平面状光反射面１２，１３からの反射光のいずれかを主とする２つの強度ピークと、一方の強度ピークに続く略平坦な分布とを有すると共に、他方のライトガイド２０からの光は、２つの平面状光反射面１２，１３からの反射光を主とする２つの強度ピークと、一方の強度ピークに続く略平坦な分布を有し（図７および図８参照）、しかも、一方のライトガイド１０における２つの平面状光反射面１２，１３からの反射光による原稿面上でのそれぞれ２つの強度ピーク位置Ｐａ，Ｐｂが、原稿読取軸Ｙの両側に位置されると共に、他方のライトガイド２０における２つの平面状光反射面２２，２３からの反射光による原稿面上でのそれぞれ２つの強度ピーク位置Ｐｃ，Ｐｄが、原稿読取軸Ｙの両側に位置されるため、２つのライトガイド１０，２０に配置された発光素子３０，３５の各々の光量にバラツキがあっても、原稿面１において２つのライトガイド１０，２０からの光が重畳されて互いに補償し合うことにより、副走査方向において読み取りに必要な幅を有し、かつ副走査方向において均一性の高い照度分布を有する有効照明領域を得ることができる。
【００２３】
本発明の照明装置は、上記の実施の形態に限定されず種々の変更を加えることが可能である。
例えば図６に示すように、各ライトガイド１０，２０における平面状光反射面１２，１３，２２，２３の各々の原稿面に対する傾きを変更することにより、一方のライトガイド１０に係る２つの微小プリズム群１４，１５のうち、原稿読取軸Ｙから見て内側に位置する微小プリズム群１５における幅方向の中心位置での光線軸Ｍ２が、原稿読取軸Ｙを交差し、他方のライトガイド２０に係る２つの微小プリズム群２４，２５のうち、原稿読取軸Ｙから見て内側に位置する微小プリズム群２５における幅方向の中心位置での光線軸Ｍ４が、原稿読取軸Ｙを交差する状態とされていてもよい。
【実施例】
【００２４】
〈実験例１〉
図２に示す構成に従い、発光素子として互いに光量が同等な２つの白色ＬＥＤを用い、それぞれ全長が３４０ｍｍ、光出射面を形成する円弧の半径が２．５ｍｍ、各平面状光反射面の幅が１．０ｍｍ、２つの平面状光反射面のなす角が２４°の２つのライトガイドが配置されてなる照明装置（Ａ１）を作製した。
この照明装置（Ａ１）によって、各ライトガイドの垂直方向に８．０ｍｍ離間した原稿面に光を照射し、副走査方向における照度分布を測定した。
図７は、１つのライトガイドからの光による副走査方向の照度分布を示す曲線図であり、縦軸は相対強度、横軸は原稿読取軸からの距離、ａは一方の平面状光反射面からの反射光による照度分布曲線、ｂは他方の平面状光反射面からの反射光による照度分布曲線、ｃはライトガイド全体からの光による照度分布曲線である。この図から明らかなように、一つのライトガイドからの光は、２つの強度ピークと、一方の強度ピークに続く略平坦な分布とを有し、原稿面上での２つの強度ピーク位置が原稿読取軸の両側に位置されていることが理解される。
図８は、２つのライトガイドからの光による副走査方向の照度分布を示す曲線図であり、縦軸は相対強度、横軸は原稿読取軸からの距離、ａは一方のライトガイドからの光による照度分布曲線、ｂは他方のライトガイドからの光による照度分布曲線、ｃは２つのライトガイドからの光による照度分布曲線である。この図から明らかなように、２つのライトガイドからの光によって、副走査方向において原稿読取軸から±３ｍｍ以上の範囲において所要の照度が得られると共に、この範囲において均一性の高い照度分布が得られることが理解される。
【００２５】
〈実験例２〉
他方のライトガイドに配置された発光素子（白色ＬＥＤ）として、一方のライトガイドに配置された発光素子（白色ＬＥＤ）よりも光量が１５％小さいものを用いたこと以外は、照明装置（Ａ１）と同様の仕様の照明装置（Ａ２）を作製し、この照明装置（Ａ２）によって、それぞれのライトガイドの垂直方向に８．０ｍｍ離間した原稿面に光を照射し、副走査方向における照度分布を測定した。結果を図９に示す。
図９において、縦軸は相対強度、横軸は原稿読取軸からの距離、ａは、光量が互いに同等の２つの発光素子（白色ＬＥＤ）を用いた照明装置（Ａ１）による照度分布曲線、ｂは、他方のライトガイドに配置された発光素子（白色ＬＥＤ）が一方のライトガイドに配置された発光素子（白色ＬＥＤ）よりも光量が１５％小さい照明装置（Ａ２）による照度分布曲線である。この図から明らかなように、２つのライトガイドに配置された発光素子の各々にバラツキがあっても、副走査方向において原稿読取軸から±３ｍｍ以上の範囲において所要の照度が得られると共に、この範囲において均一性の高い照度分布が得られることが理解される。
【００２６】
〈比較実験例１〉
図１０に示す構成に従い、発光素子として互いに光量が同等な２つの白色ＬＥＤを用い、それぞれ光出射面（５１，６１）に対向する周面に形成された１つの平面状光反射面（５２，６２）を有し、それぞれ全長が８４０ｍｍ、光出射面（５１，６１）を形成する円弧の半径が２．５ｍｍ、平面状光反射面（５２，６２）の幅が１．８ｍｍの２つのライトガイド（５０，６０）が配置されてなる照明装置（Ｂ１）を作製した。
この照明装置（Ｂ１）によって、各ライトガイドの垂直方向に８．０ｍｍ離間した原稿面に光を照射し、副走査方向における照度分布を測定した。結果を図１１に示す。
また、他方のライトガイドに配置された発光素子（白色ＬＥＤ）として、一方のライトガイドに配置された発光素子（白色ＬＥＤ）よりも光量が１５％小さいものを用いたこと以外は、照明装置（Ｂ１）と同様の仕様の照明装置（Ｂ２）を作製し、この照明装置（Ｂ２）によって、それぞれのライトガイドの垂直方向に８．０ｍｍ離間した原稿面に光を照射し、副走査方向における照度分布を測定した。結果を図１２に示す。
図１１において、縦軸は相対強度、横軸は原稿読取軸からの距離、ａは、一方のライトガイドからの光による照度分布曲線、ｂは他方のライトガイドからの光による照度分布曲線、ｃは２つのライトガイドからの光による照度分布曲線である。
また、図１２において、縦軸は相対強度、横軸は原稿読取軸からの距離、ａは、光量が互いに同等の２つの発光素子（白色ＬＥＤ）を用いた照明装置（Ｂ１）による照度分布曲線、ｂは、他方のライトガイドに配置された発光素子（白色ＬＥＤ）が一方のライトガイドに配置された発光素子（白色ＬＥＤ）よりも光量が１５％小さい照明装置（Ｂ２）による照度分布曲線である。
これらの図から明らかなように、２つのライトガイドに配置された発光素子の各々の光量が同等である場合には、副走査方向において均一性の高い照度分布が得られるが、２つのライトガイドに配置された発光素子の各々の光量にバラツキがある場合には、副走査方向において原稿読取軸から±３ｍｍ以上の範囲において所要の照度が得られず、また、この範囲において均一性の高い照度分布が得られなかった。
【符号の説明】
【００２７】
１  原稿面
２  原稿台
１０  ライトガイド
１１  光出射面
１２，１３  平面状光反射面
１４，１５  微小プリズム群
１６  保持用突条部
２０  ライトガイド
２１  光出射面
２２，２３  平面状光反射面
２４，２５  微小プリズム群
２６  保持用突条部
３０  発光素子
３１  ミラー
３５  発光素子
３６  ミラー
４０  シャーシ
４１  基台
４４  スリット
４５，４６  保持台
４７，４８  ガイド固定つめ
５０  ライトガイド
５１  光出射面
５２  平面状光反射面
６０  ライトガイド
６１  光出射面
６２  平面状光反射面
８０  照明装置
８１，８２  ライトガイド
８１ａ，８２ａ  光出射面
８３  シャーシ
９０  原稿台
９１  原稿面
９５  光電変換素子
９６  ロッドレンズアレイ
９７  基板
【図１】
0005573107.tif 000002
【図２】
0005573107.tif 000003
【図３】
0005573107.tif 000004
【図４】
0005573107.tif 000005
【図５】
0005573107.tif 000006
【図６】
0005573107.tif 000007
【図７】
0005573107.tif 000008
【図８】
0005573107.tif 000009
【図９】
0005573107.tif 000010
【図１０】
0005573107.tif 000011
【図１１】
0005573107.tif 000012
【図１２】
0005573107.tif 000013
【図１３】
0005573107.tif 000014
【図１４】
0005573107.tif 000015